(57)【要約】【課題】通信相手機器のアンテナに対する自機器のずれ修正をサポートすることが可能なコンテンツ送信機器を提供すること。【解決手段】コンテンツ送信機器は、無線通信相手機器に対してコンテンツ送信中に、自機器の動き方向（ずれ方向）を検出し、前記検出された自機器の動き方向と反対方向へ自機器を戻すことを示す補正情報を前記無線通信相手機器へ送信する。【選択図】      図４
2010045797.tif 000002
【特許請求の範囲】
【請求項１】
相手機器と無線通信し、前記相手機器から送信されるコンテンツ、及び前記コンテンツ送信中の前記相手機器の動きに対応した補正情報を受信する通信手段と、
前記通信手段により受信した前記コンテンツ及び前記補正情報の表示を指示する指示手段と、
を備えたことを特徴とするコンテンツ受信機器。
【請求項２】
前記指示手段の指示に基づき、前記コンテンツ及び前記補正情報を表示する表示手段を備えたことを特徴とする請求項１に記載のコンテンツ受信機器。
【請求項３】
前記通信手段は、前記相手機器の動き方向に対応した前記補正情報を受信することを特徴とする請求項１に記載のコンテンツ受信機器。
【請求項４】
前記通信手段は、前記相手機器の動き方向と反対の方向へ前記相手機器を戻すことを示す前記補正情報を受信することを特徴とする請求項１に記載のコンテンツ受信機器。
【請求項５】
前記通信手段により受信した電波強度を検出する電波強度検出手段と、
前記電波強度検出手段により検出された電波強度に基づき前記表示手段の明暗を制御する表示制御手段と、
を備えたことを特徴とする請求項２に記載のコンテンツ受信機器。
【請求項６】
前記表示制御手段は、前記電波強度検出手段による第１の電波強度値の検出に基づき前記表示手段を第１の明るさに制御し、前記電波強度検出手段による前記第１の電波強度値より小さい第２の電波強度値の検出に基づき前記表示手段を前記第１の明るさより暗い第２の明るさに制御することを特徴とする請求項５に記載のコンテンツ受信機器。
【発明の詳細な説明】
【技術分野】
【０００１】
本発明は、無線通信によりコンテンツを送信するコンテンツ送信機器に関する。また、このようなコンテンツ送信機器から送信されるコンテンツを受信し表示するコンテンツ表示システムに関する。
【背景技術】
【０００２】
メディア再生機器と送信装置をケーブルで接続し、テレビと受信装置をケーブルで接続し、送信装置から受信装置へ無線により映像、音声などのデータを伝送する技術が知られている。これにより、テレビを比較的自由に設置することができる。
【０００３】
しかし、無線伝送においては、送信装置と受信装置の間の距離、遮蔽物、あるいは設置方向などが無線伝搬に大きく影響を与える。そこで、受信装置が、受信強度を検出し、受信強度の検出結果に基づき、受信装置の設置位置の情報を表示する技術が開示されている（特許文献１参照）。
【先行技術文献】
【特許文献】
【０００４】
【特許文献１】特開２００５−３５４３４３号公報
【発明の概要】
【発明が解決しようとする課題】
【０００５】
近年、携帯電話等の携帯型電子機器の高性能化が進み、携帯型電子機器は、記憶部に記憶された映像等のコンテンツを再生することができる。さらに、携帯型電子機器は、近距離無線通信によりコンテンツを、ＴＶ等の大型表示装置へ転送することもできる。これにより、大型表示装置で携帯型電子機器から転送されるコンテンツを楽しむことができる。
【０００６】
上記した近距離無線通信は、通信距離３ｃｍ程度の通信であるため、大型表示装置の通信アンテナに対して、携帯型電子機器が僅かにずれただけでも、画面が乱れることがある。このような僅かなずれを、大型表示装置の通信アンテナにおける受信強度だけで補正するのは難しい。つまり、大型表示装置の通信アンテナにおける受信強度だけでは、携帯型電子機器がどのような方向にずれたのかを検出することは難しい。
【０００７】
本発明の目的は、通信相手機器のアンテナに対する自機器のずれ修正をサポートすることが可能なコンテンツ送信機器及びコンテンツ表示システムを提供することにある。
【課題を解決するための手段】
【０００８】
この発明の一実施形態に係るコンテンツ送信機器は、相手機器と無線通信する通信手段と、自機器の動きを検出する検出手段と、前記通信手段により、コンテンツを前記相手機器へ送信するとともに、前記コンテンツの送信中に前記検出手段により検出された自機器の動きに対応した補正情報を前記相手機器へ送信する送信制御手段と、を備える。
【０００９】
この発明の一実施形態に係るコンテンツ表示システムは、コンテンツ送信機器及びコンテンツ表示機器を備え、前記コンテンツ送信機器は、コンテンツ表示機器と無線通信する第１の通信手段と、自機器の動きを検出する検出手段と、前記第１の通信手段により、コンテンツを前記コンテンツ表示機器へ送信するとともに、前記コンテンツの送信中に前記検出手段により検出された自機器の動きに対応した補正情報を前記コンテンツ表示機器へ送信する送信制御手段と、を備え、前記コンテンツ表示機器は、前記コンテンツ送信機器と無線通信する第２の通信手段と、前記第２の通信手段により受信した前記コンテンツ及び前記補正情報を表示する表示手段と、を備える。
【発明の効果】
【００１０】
本発明によれば、通信相手機器のアンテナに対する自機器のずれ修正をサポートすることが可能なコンテンツ送信機器及びコンテンツ表示システムを提供できる。
【図面の簡単な説明】
【００１１】
【図１】本発明の第１の実施形態に係るコンテンツ表示システムの概略構成を示す図である。
【図２】電波強度値に基づく明暗制御を説明するためのフローチャートである。
【図３】本発明の第２の実施形態に係るコンテンツ表示システムの概略構成を示す図である。
【図４】動き検出に基づく補正情報の送信を説明するためのフローチャートである。
【図５】動き検出に基づく補正情報の表示を説明するためのフローチャートである。
【図６】動き検出に基づく補正情報の表示例を示す図である。
【発明を実施するための形態】
【００１２】
以下、図面を参照し、本発明の実施形態について説明する。
【００１３】
図１は、本発明の第１の実施形態に係るコンテンツ表示システムの概略構成を示す図である。図１に示すように、コンテンツ表示システムは、携帯電話等の記憶装置１０００及び放送受信表示装置等の表示装置２０００を備える。記憶装置１０００は、記憶モジュール１０１、記憶通信モジュール１０２、制御モジュール１０３を備える。表示装置２０００は、表示通信モジュール２０１、電波強度確認モジュール２０２、制御モジュール２０３、表示制御モジュール２０４、表示モジュール２０５を備える。
【００１４】
最初に、記憶装置１０００について説明する。記憶モジュール１０１は、内蔵型のハードディスクドライブ又はＳＤ（登録商標）などであり、コンテンツを記憶する。このコンテンツは、例えば、ビデオコンテンツであったり、オーディオコンテンツであったり、オーディオビデオコンテンツであったりする。記憶通信モジュール１０２は、アンテナ１０２ａを備え、通信相手機器（表示装置２０００）に対してコンテンツを送信する。制御モジュール１０３は、コンテンツの送信を制御する。
【００１５】
続いて、表示装置２０００について説明する。
【００１６】
表示通信モジュール２０１は、アンテナ２０１ａを備え、通信相手機器（記憶装置１０００）から送信されるコンテンツを受信する。電波強度確認モジュール２０２は、表示通信モジュール２０１におけるコンテンツの受信電波強度値を検出する。制御モジュール２０３は、表示通信モジュール２０１により受信されたコンテンツの表示を表示制御モジュール２０４へ指示したり、電波強度確認モジュール２０２により検出された受信電波強度値に基づく表示モジュール２０５の明暗制御を表示制御モジュール２０４へ指示したりする。表示制御モジュール２０４は、制御モジュール２０３からの指示に基づき、表示通信モジュール２０１により受信されたコンテンツの表示を制御したり、表示モジュール２０５の明暗を制御したりする。表示モジュール２０５は、表示制御モジュール２０４の制御に基づきコンテンツを表示する。
【００１７】
次に、図２に示すフローチャートを参照して、電波強度値に基づく明暗制御について説明する。
【００１８】
記憶装置１０００と表示装置２０００との間で通信が開始され、記憶装置１０００の制御モジュール１０３は、記憶モジュール１０１に記憶されたコンテンツの送信を制御し、これに対応して記憶通信モジュール１０２は、記憶モジュール１０１に記憶されたコンテンツを送信する。表示装置２０００の表示通信モジュール２０１は、送信されるコンテンツを受信し、制御モジュール２０３は、受信したコンテンツの表示を表示制御モジュール２０４へ指示し、表示制御モジュール２０４は、受信したコンテンツの表示を制御し、これに対応して表示モジュール２０５は、受信したコンテンツを表示する。以上により、記憶装置１０００から送信されるコンテンツは、表示装置２０００で表示される。
【００１９】
上記した記憶装置１０００と表示装置２０００との間の通信に対応して、電波強度確認モジュール２０２は受信電波強度値を検出する（ブロック１１）。制御モジュール２０３は、電波強度確認モジュール２０２により検出された受信電波強度値に基づく表示モジュール２０５の明暗制御を表示制御モジュール２０４へ指示する。表示制御モジュール２０４は、表示モジュール２０５の現在設定されている明暗度値を取得する（ブロック１２）。
【００２０】
表示制御モジュール２０４は、検出された受信電波強度値に基づき設定すべき明暗度値と現在設定されている明暗度値とを比較し、設定すべき明暗度値と現在設定されている明暗度値とが異なるか否かを判断する（ブロック１３）。表示制御モジュール２０４は、設定すべき明暗度値と現在設定されている明暗度値とが異なる場合（ブロック１３、ＹＥＳ）、検出された受信電波強度値に基づく明暗度値を設定する（ブロック１４）。これに対応して表示モジュール２０５は、検出された受信電波強度値に応じた明暗度値でコンテンツ等を表示する（ブロック１５）。なお、表示制御モジュール２０４は、設定すべき明暗度値と現在設定されている明暗度値とが同じ場合（ブロック１３、ＮＯ）、明暗度値を変更しない。上記したブロック１１〜ブロック１５の処理を定期的に繰り返すことにより、ユーザは、コンテンツの表示画面の明暗から、リアルタイムな電波強度（変化）を知ることができる。
【００２１】
さらに、明暗度値の設定の一例について説明する。例えば、表示制御モジュール２０４は、受信電波強度値の範囲別に、設定すべき明暗度値を記憶する。つまり、表示制御モジュール２０４は、検出された第１の受信電波強度値が第１の受信電波強度値の範囲に含まれるときには、第１の受信電波強度値の範囲に対応づけられた第１の明暗度値を設定し、また、検出された第２の受信電波強度値も第１の受信電波強度値の範囲に含まれれば、やはり第１の明暗度値を設定し、検出された第３の受信電波強度値が第２の受信電波強度値の範囲に含まれるときには、第２の受信電波強度値の範囲に対応づけられた第２の明暗度値を設定する。これにより、受信電波強度値の若干の変動（例えば、第１の受信電波強度値から第２の受信電波強度値への変動）に応じて明暗度が頻繁に変更されてしまうのを防止することができる。つまり、受信電波強度値がある程度変動（例えば、第１の受信電波強度値から第３の受信電波強度値への変動）した場合に限り明暗度を変更することができる。
【００２２】
図３は、本発明の第２の実施形態に係るコンテンツ表示システムの概略構成を示す図である。図３に示すように、コンテンツ表示システムは、携帯電話等の記憶装置１０００及び放送受信表示装置等の表示装置２０００を備える。記憶装置１０００は、記憶モジュール１０１、記憶通信モジュール１０２、制御モジュール１０３、センシングモジュール１０４を備える。表示装置２０００は、表示通信モジュール２０１、電波強度確認モジュール２０２、制御モジュール２０３、表示制御モジュール２０４、表示モジュール２０５を備える。なお、第１の実施形態と第２の実施形態で共通するモジュールについては同じ符号を付し、共通するモジュールのうちの共通動作についての説明は省略する。
【００２３】
最初に、記憶装置１０００について説明する。記憶通信モジュール１０２は、通信相手機器（表示装置２０００）に対してコンテンツを送信するだけでなく、後述する補正情報も送信する。制御モジュール１０３は、コンテンツの送信を制御するだけでなく、補正情報の送信も制御する。センシングモジュール１０４は、例えば加速度及び加速方向を検出する加速度センシングモジュールである。
【００２４】
続いて、表示装置２０００について説明する。表示通信モジュール２０１は、通信相手機器（記憶装置１０００）から送信されるコンテンツを受信するだけでなく、通信相手機器（記憶装置１０００）から送信される補正情報も受信する。制御モジュール２０３は、表示通信モジュール２０１により受信されたコンテンツの表示を表示制御モジュール２０４へ指示したり、電波強度確認モジュール２０２により検出された受信電波強度値に基づく表示モジュール２０５の明暗制御を表示制御モジュール２０４へ指示したり、さらに、表示通信モジュール２０１により受信された補正情報の表示を表示制御モジュール２０４へ指示したりする。表示制御モジュール２０４は、制御モジュール２０３からの指示に基づき、表示通信モジュール２０１により受信されたコンテンツの表示を制御したり、表示モジュール２０５の明暗を制御したり、表示通信モジュール２０１により受信された補正情報の表示を制御したりする。表示モジュール２０５は、表示制御モジュール２０４の制御に基づきコンテンツを表示したり、補正情報を表示したりする。例えば、補正情報は、コンテンツ表示の上に重ねて表示される。
【００２５】
次に、図４及び図５に示すフローチャートを参照して、動き検出に基づく補正情報表示について説明する。
【００２６】
上記説明したように、記憶装置１０００と表示装置２０００との間で通信が開始され、記憶装置１０００から送信されるコンテンツは、表示装置２０００で表示される。一方で、センシングモジュール１０４は、自機器（つまり記憶装置１０００）の動き（ずれ）を検出する。例えば、センシングモジュール１０４は、自機器（つまり記憶装置１０００）の移動方向を検出する。なお、センシングモジュール１０４は、自機器の移動方向に加えて、移動量を検出するものであってもよい。
【００２７】
図４に示すように、センシングモジュール１０４が、自機器の動き（ずれ）を検出すると（ブロック２１、ＹＥＳ）、センシングモジュール１０４は、検出された自機器の動きに関する情報を制御モジュール１０３へ通知する。制御モジュール１０３は、検出された自機器の動きに関する情報を取得し（ブロック２２）、検出された自機器の動きに対応した補正情報を生成し、この補正情報の送信を制御する。これに対応し、記憶通信モジュール１０２は、補正情報を送信する（ブロック２３）。補正情報とは、検出された自機器の動き方向（及び動き量）に対応した情報であり、例えば、動き方向と反対の方向へ自機器を戻すことを示す修正方向情報（例えば矢印）である。
【００２８】
図５に示すように、表示装置２０００の表示通信モジュール２０１が、補正情報を受信すると（ブロック３１、ＹＥＳ）、表示制御モジュール２０４は、受信した補正情報をデコードし（ブロック３２）、表示モジュール２０５は、デコードされた補正情報（例えば矢印）を表示する（ブロック３３）。このとき、表示制御モジュール２０４は、コンテンツの映像上の一部に補正情報の映像を重ねた合成映像を生成し、表示モジュール２０５は、この合成映像を表示する（図６参照）。ユーザは、コンテンツの映像上の一部に表示された補正情報の映像を見て、記憶装置１０００がずれてしまったことを知ることができ、またずれを適切に正すことができる。
【００２９】
さらに、上記説明した電波強度値に基づく明暗制御と、動き検出に基づく補正情報表示とを組み合わせることも可能である。つまり、記憶装置１０００が、動き検出に基づく補正情報を表示装置２０００へ送信し、表示装置２０００は、補正情報を受信した場合には補正情報を表示するとともに、検出した電波強度値に基づきコンテンツ映像の明暗を制御する。これにより、ユーザは、表示装置２０００の画面全体の明暗から電波強度の変化（記憶装置１０００のずれ）を知ることができ、また、表示装置２０００の画面の一部の補正情報から記憶装置１０００のずれの修正方法を知ることができる。
【００３０】
なお、記憶装置１０００のずれを検出する方法として、次のような方法を採用することもできる。例えば、表示装置２０００が２以上のアンテナを備え、これらアンテナで取得された電波の強度値の差分値に基づき記憶装置１０００のずれを検出する。つまり、差分値が閾値より大きい場合に、記憶装置１０００がずれたと判断する。あるいは、表示装置２０００が１以上のアンテナを備え、このアンテナで取得された電波の強度値を定期的に監視し、現在の強度値と過去の強度値の差分値に基づき記憶装置１０００のずれを検出する。つまり、差分値が閾値より大きい場合に、記憶装置１０００がずれたと判断する。
【００３１】
上記説明した第１及び第２の実施形態に記載のコンテンツ表示システムでは、表示装置２０００がコンテンツをストリーミング再生しているときに、記憶装置１０００がずれて表示装置２０００で受信される電波強度が弱くなると、表示装置２０００の画面表示が暗くなる。これにより、ユーザは、記憶装置１０００のずれを知ることができる。また、上記説明した第２の実施形態に記載のコンテンツ表示システムでは、表示装置２０００が、修正方向情報（例えば矢印）を表示する。これにより、ユーザは、記憶装置１０００のずれを適切に修正することができる。
【００３２】
表示装置２０００のアンテナ（アンテナパッド）２０１ａに対して、記憶装置１０００（アンテナ１０２ａ）を適切に位置決めできないと、表示装置２０００は十分な強度の電波を受信することができない。このような場合、記録装置１０００と表示装置２０００との間の通信効率が低下し、コンテンツ再生に悪影響を及ぼすことがある。第１及び第２の実施形態に記載のコンテンツ表示システムによれば、ユーザが、記憶装置１０００の位置ずれを知ることができ、さらに第２の実施形態に記載のコンテンツ表示システムによれば、ユーザが、記憶装置１０００の位置ずれの適切な修正方法を知ることができる。よって、上記したような通信効率の低下を防止することができる。
【００３３】
なお、上記したモジュールとは、ハードウェアで実現するものであっても良いし、ＣＰＵ等を使ってソフトウェアで実現するものであってもよい。
【００３４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００３５】
以下に、原出願の分割直前の特許請求の範囲に記載された発明を付記する。
【００３６】
［１］
コンテンツ送信機器は、
相手機器と無線通信する通信手段と、
自機器の動きを検出する検出手段と、
前記通信手段により、コンテンツを前記相手機器へ送信するとともに、前記コンテンツの送信中に前記検出手段により検出された自機器の動きに対応した補正情報を前記相手機器へ送信する送信制御手段と、
を備える。
【００３７】
［２］
［１］に記載のコンテンツ送信機器であって、
前記検出手段は、自機器の動き方向を検出し、
前記送信制御手段は、前記検出手段により検出された自機器の動き方向に対応した前記補正情報を前記相手機器へ送信する。
【００３８】
［３］
［２］に記載のコンテンツ送信機器であって、
前記送信制御手段は、前記検出手段により検出された自機器の動き方向と反対の方向へ自機器を戻すことを示す前記補正情報を前記相手機器へ送信する。
【００３９】
［４］
コンテンツ送信機器及びコンテンツ表示機器により構成されるコンテンツ表示システムであって、
前記コンテンツ送信機器は、
コンテンツ表示機器と無線通信する第１の通信手段と、
自機器の動きを検出する検出手段と、
前記第１の通信手段により、コンテンツを前記コンテンツ表示機器へ送信するとともに、前記コンテンツの送信中に前記検出手段により検出された自機器の動きに対応した補正情報を前記コンテンツ表示機器へ送信する送信制御手段と、
を備え、
前記コンテンツ表示機器は、
前記コンテンツ送信機器と無線通信する第２の通信手段と、
前記第２の通信手段により受信した前記コンテンツ及び前記補正情報を表示する表示手段と、
を備える。
【００４０】
［５］
［４］に記載のコンテンツ表示システムであって、
前記コンテンツ表示機器は、
前記第２の通信手段により受信した電波強度を検出する電波強度検出手段と、
前記電波強度検出手段により検出された電波強度に基づき前記表示手段の明暗を制御する表示制御手段と、
を備える。
【００４１】
［６］
［５］に記載のコンテンツ表示システムであって、
前記表示制御手段は、前記電波強度検出手段による第１の電波強度値の検出に基づき前記表示手段を第１の明るさに制御し、前記電波強度検出手段による前記第１の電波強度値より小さい第２の電波強度値の検出に基づき前記表示手段を前記第１の明るさより暗い第２の明るさに制御する。
【符号の説明】
【００４２】
１０１…記憶モジュール、１０２…記憶通信モジュール、１０３…制御モジュール、１０４…センシングモジュール、２０１…表示通信モジュール、２０２…電波強度確認モジュール、２０３…制御モジュール、２０４…表示制御モジュール、２０５…表示モジュール、１０００…記憶装置、２０００…表示装置
【図１】
2010045797.tif 000003
【図２】
2010045797.tif 000004
【図３】
2010045797.tif 000005
【図４】
2010045797.tif 000006
【図５】
2010045797.tif 000007
【図６】
2010045797.tif 000008